(57)【要約】【課題】１回目の計数処理において小スタッカに送られる紙幣の枚数を少なくすることができ、紙幣の処理効率を向上させることができる紙幣処理装置を提供する。【解決手段】紙幣処理装置１０は、大スタッカ３０および小スタッカ４０で分類されるべき紙幣の分類種別の組合せを設定する分類種別設定部６６と、分類種別設定部６６で設定された紙幣の分類種別の各々について、紙幣を大スタッカ３０または小スタッカ４０の何れに集積するかを設定するスタッカ設定部６８と、を備えている。紙幣処理装置１０の制御部６０は、分類種別設定部６６により設定された紙幣の分類種別の組合せ、スタッカ設定部６８により設定された設定内容および識別部２０による紙幣の識別結果に基づいて、大スタッカ３０および小スタッカ４０の何れか一方に紙幣を搬送するように搬送部１８の制御を行う。【選択図】図３
2012068819.tif 000002
【特許請求の範囲】
【請求項１】
複数枚の紙幣を受け入れて１枚ずつ紙幣を機体内部に取り込む受入部と、
前記受入部により機体内部に取り込まれた紙幣を１枚ずつ搬送する搬送部と、
前記搬送部に設けられ、当該搬送部により搬送される紙幣の識別を行う識別部と、
前記搬送部に接続され、当該搬送部から送られた紙幣を集積する大スタッカと、
前記搬送部に接続され、当該搬送部から送られた紙幣を集積する、前記大スタッカよりも収容量が小さい小スタッカと、
前記大スタッカおよび前記小スタッカで分類されるべき紙幣の分類種別の組合せを設定する分類種別設定部と、
前記分類種別設定部で設定された紙幣の分類種別の各々について、紙幣を前記大スタッカまたは前記小スタッカの何れに集積するかを設定するスタッカ設定部と、
前記分類種別設定部により設定された紙幣の分類種別の組合せ、前記スタッカ設定部により設定された設定内容および前記識別部による紙幣の識別結果に基づいて、前記大スタッカおよび前記小スタッカの何れか一方に紙幣を搬送するように前記搬送部の制御を行う制御部と、
を備えたことを特徴とする紙幣処理装置。
【請求項２】
前記分類種別設定部において、前記紙幣の分類種別の組合せとして、正券および損券の組合せ、表券および裏券の組合せ、新券および旧券の組合せ、指定金種券およびそれ以外の券の組合せ、ならびに上向き券および下向き券の組合せのうち何れか一つの組合せが選択的に設定されるようになっていることを特徴とする請求項１記載の紙幣処理装置。
【請求項３】
前記制御部は、前記識別部による紙幣の識別結果が識別不能または搬送異常であるようなリジェクト券の場合は、当該紙幣を前記小スタッカに搬送するように前記搬送部の制御を行うことを特徴とする請求項１または２記載の紙幣処理装置。
【請求項４】
前記制御部は、前記受入部に受け入れられた紙幣が全て前記大スタッカまたは前記小スタッカに集積された後、前記大スタッカに集積された紙幣を取り除くことなく前記小スタッカに集積された紙幣を再び前記受入部に受け入れて再処理を行うリトライ処理機能を実行することができるようになっており、このリトライ処理機能が実行される際には、前記スタッカ設定部での設定内容を維持したまま紙幣を搬送するように前記搬送部の制御を行うことを特徴とする請求項１乃至３のいずれか一項に記載の紙幣処理装置。
【請求項５】
前記制御部は、前記受入部に受け入れられた紙幣が全て前記大スタッカまたは前記小スタッカに集積された後、前記大スタッカおよび前記小スタッカの両方から紙幣を取り除き前記小スタッカに集積されていた紙幣を再び前記受入部に受け入れて再処理を行うセカンド処理機能を実行することができるようになっており、このセカンド処理機能が実行される際には、前記スタッカ設定部での設定内容を前記大スタッカと前記小スタッカとについて逆の内容にして紙幣を搬送するように前記搬送部の制御を行うことを特徴とする請求項１乃至４のいずれか一項に記載の紙幣処理装置。
【請求項６】
前記制御部は、前記受入部に受け入れられた紙幣が全て前記大スタッカまたは前記小スタッカに集積された後、前記小スタッカに集積された紙幣にリジェクト券が含まれない場合には、前記大スタッカに送られた紙幣の枚数および前記小スタッカに送られた紙幣の枚数をそれぞれ確定させることを特徴とする請求項１乃至５のいずれか一項に記載の紙幣処理装置。
【請求項７】
前記スタッカ設定部が、前記制御部に接続された操作部を介して操作者から前記制御部に送られる指令に基づいて、または処理対象となる紙幣のアカウント情報に基づいて、または前記識別部により最初に識別された紙幣の識別結果に基づいて、設定を行うようになっていることを特徴とする請求項１乃至６のいずれか一項に記載の紙幣処理装置。
【請求項８】
紙幣の金種毎に前記各分類種別とスタッカとの関係を予め記憶する記憶部を更に備え、
前記スタッカ設定部が、前記識別部により最初に識別された紙幣の識別結果に基づいて設定を行う場合、その識別結果と前記記憶部の記憶内容とに基づいて設定を行うようになっていることを特徴とする請求項７記載の紙幣処理装置。
【請求項９】
処理対象となる紙幣のアカウント情報に対応させて各分類種別とスタッカとの関係を予め記憶する記憶部を更に備え、
前記スタッカ設定部が、処理対象となる紙幣のアカウント情報に基づいて設定を行う場合、処理対象となる紙幣のアカウント情報が入力されるとその入力情報と前記記憶部の記憶内容とに基づいて設定を行うようになっていることを特徴とする請求項７記載の紙幣処理装置。
【請求項１０】
処理対象となる紙幣のアカウント情報毎で、かつ紙幣の金種毎に前記各分類種別とスタッカとの関係を予め記憶する記憶部を更に備え、
前記スタッカ設定部が、処理対象となる紙幣のアカウント情報、および前記識別部により最初に識別された紙幣の識別結果に基づいて設定を行う場合、処理対象となる紙幣のアカウント情報毎で、最初に識別された紙幣の識別結果および前記記憶部の記憶内容に基づいて設定を行うようになっていることを特徴とする請求項７記載の紙幣処理装置。
【発明の詳細な説明】
【技術分野】
【０００１】
本発明は、紙幣の識別計数を行う紙幣処理装置に関し、とりわけ、紙幣の処理効率を向上させることができる紙幣処理装置に関する。
【背景技術】
【０００２】
従来から、紙幣の識別計数を行う紙幣処理装置として様々な種類のものが用いられている。例えば、特許文献１には、装置の上部位置に２以上のスタッカを有し、下部位置に４つのスタッカを有する紙幣処理装置が開示されている。一般的に、紙幣の識別計数を行う紙幣処理装置では、多数の紙幣を積層状態で受入部（具体的には、例えばホッパ）に載せてセットし、この受入部に設けられた繰出機構により紙幣を１枚ずつ機体内部に取り込み、機体内部に取り込まれた紙幣について識別部により識別および計数を行い、識別結果に基づいて紙幣を各スタッカに分類して集積させるようになっている。具体的には、例えば紙幣を正券、損券で分類して計数する場合、機体内部に取り込まれた紙幣のうち識別部により正券であると識別された紙幣は第１のスタッカに送られ、識別部により損券であると識別された紙幣は第１のスタッカとは異なる第２のスタッカに送られるようになっている。
【０００３】
一方、紙幣の識別計数を行う紙幣処理装置として、１つのスタッカおよび１つのリジェクト部のみが設けられたシンプルなタイプのものが用いられる場合がある。このような紙幣処理装置では、スタッカが１つしか設けられていないため、紙幣を例えば正券、損券で分類して計数したい場合には、１回目の計数処理において正券をスタッカに送るとともに損券をリジェクト部に送るようにする。なお、この際に、搬送異常の紙幣や偽券、識別不能券等である異常券もリジェクト部に送るようにする。そして、１回目の計数処理が終了した後、正券をスタッカから取り出すとともに、リジェクト部に集積された損券および異常券を受入部に再びセットし、２回目の計数処理において損券をスタッカに送るとともに異常券をリジェクト部に送るようにし、このようにして損券の計数を行う。
【０００４】
しかしながら、１つのスタッカおよび１つのリジェクト部のみが設けられたシンプルなタイプの紙幣処理装置では、１回目の計数処理においてスタッカに送られる紙幣の種類は例えば正券と予め設定されており、適宜変更することができないようになっている。このため、処理すべき紙幣に例えば損券が多く含まれる場合には、リジェクト部に送られる紙幣の枚数が多くなってしまい、リジェクト部フル等が検知されて紙幣の計数処理が強制的に停止させられてしまうことがあり、紙幣の処理に時間がかかってしまうという問題がある。
【先行技術文献】
【特許文献】
【０００５】
【特許文献１】国際公開第２００８／０９６４３０号公報
【発明の概要】
【発明が解決しようとする課題】
【０００６】
本発明は、このような点を考慮してなされたものであり、受入部に投入された紙幣の状態に応じて、１回目に受入部により紙幣が１枚ずつ機体内部に取り込まれる際に搬送部から大スタッカおよび小スタッカにそれぞれ送られる紙幣の分類種別を選択設定することができるので、１回目の計数処理において小スタッカに送られる紙幣の枚数を少なくすることができ、紙幣の処理効率を向上させることができる紙幣処理装置を提供することを目的とする。
【課題を解決するための手段】
【０００７】
本発明の紙幣処理装置は、複数枚の紙幣を受け入れて１枚ずつ紙幣を機体内部に取り込む受入部と、前記受入部により機体内部に取り込まれた紙幣を１枚ずつ搬送する搬送部と、前記搬送部に設けられ、当該搬送部により搬送される紙幣の識別を行う識別部と、前記搬送部に接続され、当該搬送部から送られた紙幣を集積する大スタッカと、前記搬送部に接続され、当該搬送部から送られた紙幣を集積する、前記大スタッカよりも収容量が小さい小スタッカと、前記大スタッカおよび前記小スタッカで分類されるべき紙幣の分類種別の組合せを設定する分類種別設定部と、前記分類種別設定部で設定された紙幣の分類種別の各々について、紙幣を前記大スタッカまたは前記小スタッカの何れに集積するかを設定するスタッカ設定部と、前記分類種別設定部により設定された紙幣の分類種別の組合せ、前記スタッカ設定部により設定された設定内容および前記識別部による紙幣の識別結果に基づいて、前記大スタッカおよび前記小スタッカの何れか一方に紙幣を搬送するように前記搬送部の制御を行う制御部と、を備えたことを特徴とする。
【０００８】
このような紙幣処理装置によれば、分類種別設定部により、大スタッカおよび小スタッカで分類されるべき紙幣の分類種別の組合せが設定されるようになっており、また、スタッカ設定部により、分類種別設定部で設定された紙幣の分類種別の各々について、紙幣を大スタッカまたは小スタッカの何れに集積するかを設定するようになっている。そして、制御部は、分類種別設定部により設定された紙幣の分類種別の組合せ、スタッカ設定部により設定された設定内容および識別部による紙幣の識別結果に基づいて、大スタッカおよび小スタッカの何れか一方に紙幣を搬送するように搬送部の制御を行うようになっている。このため、受入部に受け入れられた紙幣の状態に応じて、１回目に受入部により紙幣が１枚ずつ機体内部に取り込まれる際に搬送部から大スタッカおよび小スタッカにそれぞれ送られる紙幣の分類種別を選択設定することができるので、１回目の計数処理において小スタッカに送られる紙幣の枚数を少なくすることができ、紙幣の処理効率を向上させることができる。より詳細には、例えば、紙幣処理装置により計数処理が行われるべき複数の紙幣について、ある分類種別の紙幣が他の分類種別の紙幣よりも多いと操作者が判断した場合には、分類種別設定部により紙幣の分類種別の組合せとしてこれらの分類種別の組合せを設定し、かつ、スタッカ設定部により大スタッカに前者の分類種別の紙幣を集積させるとともに小スタッカに後者の分類種別の紙幣を集積させることを設定することにより、比較的枚数の多い前者の分類種別の紙幣は大スタッカに集積され、比較的枚数の少ない後者の分類種別の紙幣は小スタッカに集積されるようになる。このように、１回目の計数処理において小スタッカに送られる紙幣の枚数を少なくすることができるようになり、紙幣の再計数を行う際に、小スタッカに集積された再計数が行われるべき紙幣の枚数が比較的少なくなるので、紙幣の処理効率を向上させることができる。
【０００９】
本発明の紙幣処理装置においては、前記分類種別設定部において、前記紙幣の分類種別の組合せとして、正券および損券の組合せ、表券および裏券の組合せ、新券および旧券の組合せ、指定金種券およびそれ以外の券の組合せ、ならびに上向き券および下向き券の組合せのうち何れか一つの組合せが選択的に設定されるようになっていてもよい。
【００１０】
本発明の紙幣処理装置においては、前記制御部は、前記識別部による紙幣の識別結果が識別不能または搬送異常であるようなリジェクト券の場合は、当該紙幣を前記小スタッカに搬送するように前記搬送部の制御を行うようになっていてもよい。
【００１１】
また、前記制御部は、前記受入部に受け入れられた紙幣が全て前記大スタッカまたは前記小スタッカに集積された後、前記大スタッカに集積された紙幣を取り除くことなく前記小スタッカに集積された紙幣を再び前記受入部に受け入れて再処理を行うリトライ処理機能を実行することができるようになっており、このリトライ処理機能が実行される際には、前記スタッカ設定部での設定内容を維持したまま紙幣を搬送するように前記搬送部の制御を行うようになっていてもよい。
【００１２】
また、前記制御部は、前記受入部に受け入れられた紙幣が全て前記大スタッカまたは前記小スタッカに集積された後、前記大スタッカおよび前記小スタッカの両方から紙幣を取り除き前記小スタッカに集積されていた紙幣を再び前記受入部に受け入れて再処理を行うセカンド処理機能を実行することができるようになっており、このセカンド処理機能が実行される際には、前記スタッカ設定部での設定内容を前記大スタッカと前記小スタッカとについて逆の内容にして紙幣を搬送するように前記搬送部の制御を行うようになっていてもよい。
【００１３】
また、前記制御部は、前記受入部に受け入れられた紙幣が全て前記大スタッカまたは前記小スタッカに集積された後、前記小スタッカに集積された紙幣にリジェクト券が含まれない場合には、前記大スタッカに送られた紙幣の枚数および前記小スタッカに送られた紙幣の枚数をそれぞれ確定させるようになっていてもよい。
【００１４】
本発明の紙幣処理装置においては、前記スタッカ設定部が、前記制御部に接続された操作部を介して操作者から前記制御部に送られる指令に基づいて、または処理対象となる紙幣のアカウント情報に基づいて、または前記識別部により最初に識別された紙幣の識別結果に基づいて、設定を行うようになっていてもよい。
【００１５】
この際に、本発明の紙幣処理装置は、紙幣の金種毎に前記各分類種別とスタッカとの関係を予め記憶する記憶部を更に備え、前記スタッカ設定部が、前記識別部により最初に識別された紙幣の識別結果に基づいて設定を行う場合、その識別結果と前記記憶部の記憶内容とに基づいて設定を行うようになっていてもよい。
【００１６】
あるいは、本発明の紙幣処理装置は、処理対象となる紙幣のアカウント情報に対応させて各分類種別とスタッカとの関係を予め記憶する記憶部を更に備え、前記スタッカ設定部が、処理対象となる紙幣のアカウント情報に基づいて設定を行う場合、処理対象となる紙幣のアカウント情報が入力されるとその入力情報と前記記憶部の記憶内容とに基づいて設定を行うようになっていてもよい。
【００１７】
あるいは、本発明の紙幣処理装置は、処理対象となる紙幣のアカウント情報毎で、かつ紙幣の金種毎に前記各分類種別とスタッカとの関係を予め記憶する記憶部を更に備え、前記スタッカ設定部が、処理対象となる紙幣のアカウント情報、および前記識別部により最初に識別された紙幣の識別結果に基づいて設定を行う場合、処理対象となる紙幣のアカウント情報毎で、最初に識別された紙幣の識別結果および前記記憶部の記憶内容に基づいて設定を行うようになっていてもよい。
【発明の効果】
【００１８】
本発明の紙幣処理装置によれば、１回目の計数処理において小スタッカに送られる紙幣の枚数を少なくすることができ、紙幣の処理効率を向上させることができる。
【図面の簡単な説明】
【００１９】
【図１】本発明の一の実施の形態による紙幣処理装置の外観を示す斜視図である。
【図２】図１に示す紙幣処理装置の内部の概略的な構成を示す概略構成図である。
【図３】図１および図２に示す紙幣処理装置の制御ブロック図である。
【図４】図１等に示す紙幣処理装置による動作を示すフローチャートである。
【図５Ａ】図１等に示す紙幣処理装置による動作を示すフローチャートである。
【図５Ｂ】図１等に示す紙幣処理装置による動作を示すフローチャートである。
【図６Ａ】図１等に示す紙幣処理装置による動作を示すフローチャートである。
【図６Ｂ】図１等に示す紙幣処理装置による動作を示すフローチャートである。
【図７】図１等に示す紙幣処理装置の操作表示部の構成を示す図である。
【図８】（ａ）〜（ｅ）は、それぞれ図７に示す操作表示部の表示部における表示内容を示す図である。
【図９】（ａ）〜（ｄ）は、それぞれ図７に示す操作表示部の表示部における表示内容を示す図である。
【図１０】図１等に示す紙幣処理装置の記憶部に記憶された、紙幣の金種毎の各分類種別とスタッカとの関係を示す表である。
【図１１】図１等に示す紙幣処理装置の記憶部に記憶された、処理対象となる紙幣のアカウント毎の各分類種別とスタッカとの関係を示す表である。
【図１２】図１等に示す紙幣処理装置の記憶部に記憶された、処理対象となる紙幣のアカウント毎で、かつ紙幣の金種毎の前記各分類種別とスタッカとの関係を示す表である。
【発明を実施するための形態】
【００２０】
以下、図面を参照して本発明の一の実施の形態について説明する。図１乃至図１２は、本実施の形態に係る紙幣処理装置を示す図である。このうち、図１は、本実施の形態による紙幣処理装置の外観を示す斜視図であり、図２は、図１に示す紙幣処理装置の内部の概略的な構成を示す概略構成図である。また、図３は、図１および図２に示す紙幣処理装置の制御ブロック図である。
【００２１】
図１および図２に示すように、紙幣処理装置１０は、筐体１２と、計数が行われるべき複数の紙幣が積層状態で載置される載置部（ホッパ）１４と、載置部１４に載置された複数の紙幣のうち最下層にある紙幣を筐体１２の内部に１枚ずつ繰り出すための繰出部１６と、筐体１２の内部に設けられ、繰出部１６により筐体１２の内部に繰り出された紙幣を１枚ずつ搬送する搬送部１８と、を備えている。また、搬送部１８には、繰出部１６により筐体１２の内部に繰り出された紙幣の識別および計数を行うための識別計数部２０が設けられている。
【００２２】
繰出部１６は、載置部１４に積層状態で載置された複数の紙幣のうち最下層にある一の紙幣の表面に当接するキッカローラ１６ａと、紙幣の繰出方向においてキッカローラ１６ａの下流側に配置され当該キッカローラ１６ａにより蹴り出された紙幣について筐体１２の内部への繰り出しを行うフィードローラ１６ｂとを有している。また、フィードローラ１６ｂに対向して逆転ローラ１６ｃ（ゲートローラ）が設けられており、フィードローラ１６ｂと逆転ローラ１６ｃとの間にゲート部Ｇが形成されている。キッカローラ１６ａにより蹴り出された紙幣はゲート部Ｇを通過して１枚ずつ筐体１２内の搬送部１８に繰り出されるようになっている。また、筐体１２の内部には、繰出部１６の駆動を行う繰出部駆動機構１７（図３参照）が設けられている。
【００２３】
また、図２に示すように、載置部１４には紙幣有無センサ１５が設けられている。この紙幣有無センサ１５は載置部１４における紙幣の有無を検出するようになっている。具体的には、紙幣有無センサ１５は発光部と受光部が一体構成された反射型の光センサであり、載置部１４に紙幣が存在する場合には、発光部から発せられた光が紙幣に反射して受光部に光が届き、紙幣が存在しない場合には反射することなく光が受光部に届かないようになり、このことにより紙幣有無センサ１５は載置部１４に紙幣が存在するか否かを検出する。
【００２４】
なお、本実施の形態の紙幣処理装置１０では、載置部１４、紙幣有無センサ１５および繰出部１６により、複数枚の紙幣を受け入れて１枚ずつ紙幣を機体内部に取り込む受入部が構成されている。
【００２５】
搬送部１８は、複数の搬送ローラに張架された搬送ベルトおよびローラが複数組み合わせられたものから構成されており、これらの搬送ベルトとローラの間に紙幣が挟まれた状態で搬送ベルトが循環移動を行うことにより紙幣が搬送路に沿って搬送されるようになっている。また、筐体１２の内部には、搬送部１８の駆動を行う搬送部駆動機構１９（図３参照）が設けられている。
【００２６】
また、前述のように、搬送部１８には、繰出部１６により筐体１２の内部に繰り出された紙幣の識別および計数を行うための識別計数部２０が設けられている。図２に示すように、識別計数部２０は、ラインセンサ２０ａ、厚み検出センサ２０ｂおよび磁気センサ２０ｃを有している。ラインセンサ２０ａは、紙幣の搬送路を挟むよう設けられた発光部および受光部を有しており、発光部から発せられた光（例えば、赤外光）が受光部により受けられるようになっている。ここで、ラインセンサ２０ａに紙幣が送られた場合には、発光部から発せられた光が紙幣を透過して受光部まで到達するようになっており、受光部で受けられた光のデータに基づいて検出値が算出されるようになっている。また、厚み検出センサ２０ｂは、この厚み検出センサ２０ｂを通過する紙幣の厚みを検出するようになっており、検出された紙幣の厚みに基づいて、紙幣に札折れ部分があるか、２枚以上の紙幣の重送が行われたか、あるいは紙幣のある部分にテープ等が貼られているか等を検出することができるようになっている。また、磁気センサ２０ｃは、この磁気センサ２０ｃを通過する紙幣のインク等に含まれる磁気成分から発せられる磁気を検出するようになっており、このことにより磁気センサ２０ｃにおいて紙幣の磁性に関する検出値が算出されるようになっている。識別計数部２０は、ラインセンサ２０ａ、厚み検出センサ２０ｂおよび磁気センサ２０ｃによるそれぞれの検出結果に基づいて、紙幣の真偽、正損、金種等の識別や、紙幣の搬送異常が発生しているか否か等の識別を行うとともに、紙幣の計数を行うようになっている。
【００２７】
図２に示すように、識別計数部２０よりも下流側の箇所において搬送部１８は２つの搬送路に分岐しており、一方の搬送路の下流側端部には集積部３０が接続されており、他方の搬送路の下流側端部にはリジェクト部４０が接続されている。識別計数部２０により識別および計数が行われた紙幣は、集積部３０またはリジェクト部４０に選択的に送られるようになっている。集積部３０の前面（図２における左側の面）には開口が設けられており、操作者はこの開口を介して集積部３０に集積された紙幣を取り出すことができるようになっている。また、リジェクト部４０の前面にも開口が設けられており、操作者はこの開口を介してリジェクト部４０に集積された紙幣を取り出すことができるようになっている。
【００２８】
なお、本実施の形態の紙幣処理装置１０では、集積部３０およびリジェクト部４０はそれぞれスタッカと呼ばれるようになっている。また、集積部３０における紙幣の収容量はリジェクト部４０における紙幣の収容量よりも大きくなっている。このため、本実施の形態の紙幣処理装置１０では、集積部３０が大スタッカとして扱われ、リジェクト部４０が小スタッカとして扱われるようになっている。
【００２９】
図２に示すように、搬送部１８における２つの搬送路に分岐する箇所には、分岐部材とその駆動部（図示せず）とからなる分岐部２２が設けられており、この分岐部２２により、当該分岐部２２の上流側から送られた紙幣が、分岐した２つの搬送路のうちいずれか一方の搬送路に選択的に送られるようになっている。
【００３０】
集積部３０において、筐体１２の背面側の位置（図２の集積部３０における右側の位置）には羽根車式集積機構３２が設けられている。この羽根車式集積機構３２は、羽根車３２ａとその駆動部（図示せず）とからなり、羽根車３２ａは、図２の紙面に対して直交する、略水平方向に延びる軸を中心として図２における反時計回りの方向（図２における矢印方向）に回転するようになっている。羽根車３２ａには、外周面から回転方向とは逆方向（図２における時計回りの方向）の外方に延びる複数の羽根３２ｂが設けられている。これらの羽根３２ｂは、図２に示すように羽根車３２ａの外周面において等間隔に設けられている。
【００３１】
羽根車式集積機構３２の羽根車３２ａは、紙幣処理装置１０の動作中、駆動部により常に図２における反時計回りの方向に回転させられるようになっており、この羽根車３２ａには、搬送部１８から紙幣が１枚ずつ送られるようになっている。そして、羽根車３２ａは、搬送部１８から送られた紙幣を２枚の羽根３２ｂの間に受け止めてこの羽根３２ｂ間に受け止められた紙幣を集積部３０に送るようになっている。このようにして、集積部３０には羽根車３２ａから紙幣が１枚ずつ送られ、この集積部３０において複数の紙幣が整列された状態で集積される。
【００３２】
図１および図２に示すように、紙幣処理装置１０には、集積部３０の前面に設けられた開口を閉止するためのシャッター３４が設けられており、このシャッター３４により集積部３０の前面の開口が選択的に閉止されるようになっている。また、筐体１２の内部には、シャッター３４の駆動を行うシャッター駆動機構３５（図３参照）が設けられている。シャッター３４は、シャッター駆動機構３５により、集積部３０の下方に退避して当該集積部３０の開口を開く開口位置（図２における点線参照）と、集積部３０の前面の開口を閉止する閉止位置（図２における実線参照）との間で移動させられるようになっている。すなわち、シャッター３４が図２の点線に示すような開口位置にあるときには、操作者は集積部３０に集積された紙幣にアクセスすることができるようになる。一方、シャッター３４が図２の実線に示すような閉止位置にあるときには、集積部３０の前面の開口はシャッター３４により閉止され、操作者は集積部３０に集積された紙幣にアクセスすることができなくなる。
【００３３】
また、集積部３０には紙幣有無センサ３６が設けられている。この紙幣有無センサ３６は、集積部３０における紙幣の有無を検出するようになっている。具体的には、紙幣有無センサ３６は発光部と受光部とを有しており、集積部３０に紙幣が集積されていない場合には発光部から発せられた光が受光部により受けられるようになっている。一方、集積部３０に紙幣が存在する場合には、発光部から発せられた光がこの紙幣により遮られて受光部に光が届かないようになり、このことにより紙幣有無センサ３６は集積部３０に紙幣が集積されていることを検出する。
【００３４】
一方、リジェクト部４０には、このリジェクト部４０の前面の開口を閉止するシャッターは設けられていない。図１および図２に示すように、リジェクト部４０には左右一対の紙幣整列部材４２が設けられており、各紙幣整列部材４２は図２に示す位置から操作者が手動で筐体１２の前方に（すなわち、図２における左方に）倒すことができるようになっている。このため、搬送部１８からリジェクト部４０に送られた紙幣は各紙幣整列部材４２により整列された状態でリジェクト部４０に集積されるようになる。また、各紙幣整列部材４２を筐体１２の前面に倒すことにより、操作者はリジェクト部４０から紙幣を取り出すことができるようになる。
【００３５】
また、リジェクト部４０には紙幣有無センサ４４が設けられている。この紙幣有無センサ４４は、リジェクト部４０における紙幣の有無を検出するようになっている。具体的には、紙幣有無センサ４４は発光部と受光部とを有しており、リジェクト部４０に紙幣が集積されていない場合には発光部から発せられた光が受光部により受けられるようになっている。一方、リジェクト部４０に紙幣が存在する場合には、発光部から発せられた光がこの紙幣により遮られて受光部に光が届かないようになり、このことにより紙幣有無センサ４４はリジェクト部４０に紙幣が集積されていることを検出する。
【００３６】
また、図１に示すように、筐体１２の前面には操作表示部６２が設けられている。この操作表示部６２は、例えばＬＣＤ等からなる表示部６２ａと、複数の操作キー６２ｂとを有している。表示部６２ａには、紙幣処理装置１０による紙幣の処理状況、より具体的には例えば識別計数部２０により計数された紙幣の金種毎の枚数や合計金額等の情報が表示されるようになっている。また、操作者が操作キー６２ｂを押下することにより後述する制御部６０に対して様々な指令を与えることができるようになっている。
【００３７】
図２に示すように、筐体１２の内部には、紙幣処理装置１０の各構成要素を制御するための制御部６０が設けられている。このような制御部６０の構成の詳細について図３を用いて説明する。図３に示すように、制御部６０には、繰出部１６の駆動を行う繰出部駆動機構１７、搬送部１８の駆動を行う搬送部駆動機構１９、識別計数部２０、分岐部２２、羽根車式集積機構３２、シャッター３４の駆動を行うシャッター駆動機構３５、紙幣有無センサ１５、３６、４４、操作表示部６２等がそれぞれ接続されている。そして、識別計数部２０による紙幣の識別結果や計数結果が制御部６０に送られるとともに、制御部６０は繰出部駆動機構１７、搬送部駆動機構１９、分岐部２２、羽根車式集積機構３２、シャッター駆動機構３５、操作表示部６２等に指令信号を送りこれらの構成要素の制御を行うようになっている。また、制御部６０には、紙幣有無センサ１５、３６、４４による検出結果がこれらのセンサから送られるようになっている。
【００３８】
また、図３に示すように、制御部６０には記憶部６４が接続されている。この記憶部６４には、例えば、紙幣処理装置１０による紙幣の処理状況、より具体的には例えば識別計数部２０により計数された紙幣の金種毎の枚数や合計金額等の情報が記憶されるようになっている。
【００３９】
また、図３に示すように、制御部６０には分類種別設定部６６が接続されている。この分類種別設定部６６は、集積部３０およびリジェクト部４０で分類されるべき紙幣の分類種別の組合せを設定するようになっている。より詳細には、分類種別設定部６６において、紙幣の分類種別の組合せとして、正券および損券の組合せ、表券および裏券の組合せ、新券および旧券の組合せ、指定金種券およびそれ以外の券の組合せ、ならびに上向き券および下向き券の組合せのうち何れか一つの組合せが選択的に設定されるようになっている。より具体的に説明すると、例えば分類種別設定部６６において、集積部３０およびリジェクト部４０で分類されるべき紙幣の分類種別の組合せとして、正券および損券の組合せが設定された場合には、集積部３０に正券および損券のうち何れか一方の種別の紙幣が集積され、リジェクト部４０には正券および損券のうち他方の種別の紙幣が集積されるようになる。すなわち、集積部３０に正券が集積されてリジェクト部４０に損券が集積されるか、あるいは集積部３０に損券が集積されてリジェクト部４０に正券が集積されるようになる。ここで、正券および損券のうちどちらの種別の紙幣を集積部３０（またはリジェクト部４０）に集積させるかについては、後述するスタッカ設定部６８により設定されるようになっている。
【００４０】
同様に、分類種別設定部６６において、集積部３０およびリジェクト部４０で分類されるべき紙幣の分類種別の組合せとして、新券および旧券の組合せが設定された場合には、集積部３０に新券および旧券のうち何れか一方の種別の紙幣が集積され、リジェクト部４０には新券および旧券のうち他方の種別の紙幣が集積されるようになる。また、分類種別設定部６６において、集積部３０およびリジェクト部４０で分類されるべき紙幣の分類種別の組合せとして、表券および裏券の組合せが設定された場合には、集積部３０に表券および裏券のうち何れか一方の種別の紙幣が集積され、リジェクト部４０には表券および裏券のうち他方の種別の紙幣が集積されるようになる。また、分類種別設定部６６において、集積部３０およびリジェクト部４０で分類されるべき紙幣の分類種別の組合せとして、指定金種券およびそれ以外の券の組合せが設定された場合には、集積部３０には操作者により指定された指定金種券およびそれ以外の券のうち何れか一方の種別の紙幣が集積され、リジェクト部４０には指定金種券およびそれ以外の券のうち他方の種別の紙幣が集積されるようになる。また、分類種別設定部６６において、集積部３０およびリジェクト部４０で分類されるべき紙幣の分類種別の組合せとして、上向き券および下向き券の組合せが設定された場合には、集積部３０に上向き券および下向き券のうち何れか一方の種別の紙幣が集積され、リジェクト部４０には上向き券および下向き券のうち他方の種別の紙幣が集積されるようになる。
【００４１】
分類種別設定部６６による紙幣の分類種別の組合せの設定は、操作者が操作表示部６２により紙幣の処理毎に行うことができるようになっていてもよい。あるいは、紙幣処理装置１０の導入時に分類種別設定部６６による紙幣の分類種別の組合せの設定が行われ、導入時に設定された分類種別の組合せが毎回の紙幣の処理で用いられるようになっていてもよい。後者の場合には、導入時に設定された分類種別の組合せを、操作者が操作表示部６２により適宜変更することができるようになっていてもよい。
【００４２】
また、図３に示すように、制御部６０にはスタッカ設定部６８が接続されている。このスタッカ設定部６８は、分類種別設定部６６で設定された紙幣の分類種別の各々について、紙幣を集積部３０またはリジェクト部４０の何れに集積するかを設定するようになっている。より具体的には、例えば分類種別設定部６６において紙幣の分類種別の組合せとして正券および損券の組合せが設定された場合には、スタッカ設定部６８は、正券および損券のうちどちらの種別の紙幣を集積部３０に集積させるかについての設定を行う。この際に、集積部３０に正券を集積させることが設定された場合には、リジェクト部４０には損券が集積されるようになる。一方、集積部３０に損券を集積させることが設定された場合には、リジェクト部４０には正券が集積されるようになる。
【００４３】
同様に、分類種別設定部６６において紙幣の分類種別の組合せとして新券および旧券の組合せが設定された場合には、スタッカ設定部６８は、新券および旧券のうちどちらの種別の紙幣を集積部３０に集積させるかについての設定を行う。また、分類種別設定部６６において紙幣の分類種別の組合せとして表券および裏券の組合せが設定された場合には、スタッカ設定部６８は、表券および裏券のうちどちらの種別の紙幣を集積部３０に集積させるかについての設定を行う。また、分類種別設定部６６において紙幣の分類種別の組合せとして指定金種券およびそれ以外の券の組合せが設定された場合には、スタッカ設定部６８は、指定金種券およびそれ以外の券のうちどちらの種別の紙幣を集積部３０に集積させるかについての設定を行う。また、分類種別設定部６６において紙幣の分類種別の組合せとして上向き券および下向き券の組合せが設定された場合には、スタッカ設定部６８は、上向き券および下向き券のうちどちらの種別の紙幣を集積部３０に集積させるかについての設定を行う。
【００４４】
スタッカ設定部６８は、制御部６０に接続された操作表示部６２を介して操作者から制御部６０に送られる指令に基づいて、または処理対象となる紙幣のアカウント情報に基づいて、または識別計数部２０により最初に識別された紙幣の識別結果に基づいて、設定を行うようになっている。このことについては後に詳述する。
【００４５】
制御部６０は、分類種別設定部６６により設定された紙幣の分類種別の組合せ、スタッカ設定部６８により設定された設定内容および識別計数部２０による紙幣の識別結果に基づいて、集積部３０またはリジェクト部４０の何れか一方に紙幣を搬送するように搬送部１８における分岐部２２の制御を行うようになっている。より詳細には、例えば分類種別設定部６６により紙幣の分類種別の組合せとして正券および損券の組合せが設定され、スタッカ設定部６８により正券を集積部３０に集積させるとともに損券をリジェクト部４０に集積させることが設定された場合には、繰出部１６により筐体１２内に繰り出されて識別計数部２０により識別および計数が行われる紙幣のうち、正券であると識別された紙幣は分岐部２２により集積部３０に送られ、また、損券であると識別された紙幣は分岐部２２によりリジェクト部４０に送られるようになる。一方、例えば分類種別設定部６６により紙幣の分類種別の組合せとして正券および損券の組合せが設定され、スタッカ設定部６８により損券を集積部３０に集積させるとともに正券をリジェクト部４０に集積させることが設定された場合には、繰出部１６により筐体１２内に繰り出されて識別計数部２０により識別および計数が行われる紙幣のうち、損券であると識別された紙幣は分岐部２２により集積部３０に送られ、また、正券であると識別された紙幣は分岐部２２によりリジェクト部４０に送られるようになる。
【００４６】
また、制御部６０は、識別計数部２０による紙幣の識別結果が識別不能または搬送異常であるようなリジェクト券である場合には、この紙幣をリジェクト部４０に搬送するように搬送部１８における分岐部２２の制御を行う。
【００４７】
次に、このような構成からなる紙幣処理装置１０の動作について図４乃至図６に示すフローチャートを用いて説明する。なお、以下に示す紙幣処理装置１０の動作は、制御部６０が紙幣処理装置１０の各構成要素を制御することにより行われる。
【００４８】
最初に、分類種別設定部６６により、集積部３０およびリジェクト部４０で分類されるべき紙幣の分類種別の組合せを設定するとともに、スタッカ設定部６８により、分類種別設定部６６で設定された紙幣の分類種別の各々について、紙幣を集積部３０またはリジェクト部４０の何れに集積するかを設定する。より具体的には、図７に示すような操作表示部６２の表示部６２ａの表示画面（初期画面）および各々の操作キー６２ｂにおいて、操作者が「ＦＩＴ」キー６２ｂ１を１回押下すると（図４のＳＴＥＰ１の「ＹＥＳ」）、分類種別設定部６６により、集積部３０およびリジェクト部４０で分類されるべき紙幣の分類種別の組合せとして正券および損券の組合せが設定され、また、スタッカ設定部６８により、集積部３０に正券を集積させるとともにリジェクト部４０に損券を集積させることが設定される（図４のＳＴＥＰ２）。また、操作者が「ＦＩＴ」キー６２ｂ１を更に押下すると（図４のＳＴＥＰ４の「ＹＥＳ」）、スタッカ設定部６８により、集積部３０に損券を集積させるとともにリジェクト部４０に正券を集積させることが設定される（図４のＳＴＥＰ５）。また、操作者が「ＦＩＴ」キー６２ｂ１を既に２回押下した状態で、この「ＦＩＴ」キー６２ｂ１を更に押下して合計の押下回数が３回になると（図４のＳＴＥＰ７の「ＹＥＳ」）、紙幣の分類種別の組合せとして設定されていた正券および損券の組合せが解除される（図４のＳＴＥＰ８）。
【００４９】
以下、分類種別設定部６６により、集積部３０およびリジェクト部４０で分類されるべき紙幣の分類種別の組合せとして正券および損券の組合せが設定され、また、スタッカ設定部６８により、集積部３０に正券を集積させるとともにリジェクト部４０に損券を集積させることが設定された場合（図４のＳＴＥＰ２）について説明する。この場合、操作表示部６２の表示部６２ａにおける紙幣の計数前待機画面は図８（ａ）に示すようなものとなる。
【００５０】
操作者は、計数が行われるべき紙幣を載置部１４に積層状態で載置する。その後、操作者が操作表示部６２の操作キー６２ｂ（具体的には、「ＳＴＡＲＴ／ＳＴＯＰ」キー）を押下することにより、紙幣の計数の開始の指令を制御部６０に与えると（図４のＳＴＥＰ３の「ＹＥＳ」）、載置部１４に積層状態で載置された紙幣は、最下層にある紙幣から順に１枚ずつ繰出部１６により筐体１２内の搬送部１８に繰り出される（図５ＡのＳＴＥＰ１１）。繰出部１６により筐体１２内の搬送部１８に繰り出された紙幣は、当該搬送部１８により搬送される。
【００５１】
そして、搬送部１８により搬送される紙幣は識別計数部２０により識別および計数が行われ（図５ＡのＳＴＥＰ１１）、識別計数部２０による紙幣の識別結果が制御部６０に送られる。より詳細には、識別計数部２０において、紙幣がリジェクト券であるか否かの判断が行われ、紙幣がリジェクト券ではない場合にはこの紙幣が正券であるか否かの判断が行われる。具体的には、識別計数部２０により識別された紙幣が搬送異常券である場合には当該紙幣はリジェクト券と判断される。また、識別計数部２０における紙幣の金種判定においてどの金種の紙幣でもないと判定された場合には当該紙幣はリジェクト券と判断される。また、識別計数部２０における紙幣の真偽判定において真券ではないと判定された場合には当該紙幣はリジェクト券と判断される。識別計数部２０によりリジェクト券であると判断された紙幣は（図５ＡのＳＴＥＰ１２の「ＹＥＳ」）、搬送部１８により更に搬送されて分岐部２２によりリジェクト部４０に送られる（図５ＡのＳＴＥＰ１３）。また、識別計数部２０においてリジェクト券ではないと判断された紙幣について、この紙幣が正券である場合には（図５ＡのＳＴＥＰ１２の「ＮＯ」およびＳＴＥＰ１４の「ＹＥＳ」）、当該紙幣は搬送部１８により更に搬送されて分岐部２２により集積部３０に送られる（図５ＡのＳＴＥＰ１５）。この際に、搬送部１８から羽根車式集積機構３２の羽根車３２ａに紙幣が１枚ずつ送られ、この羽根車３２ａは、搬送部１８から送られた紙幣を２枚の羽根３２ｂの間に受け止めてこの羽根３２ｂ間に受け止められた紙幣を集積部３０に送る。このようにして、羽根車式集積機構３２により集積部３０に紙幣を整列された状態で集積させることができる。また、識別計数部２０においてリジェクト券ではないと判断された紙幣について、この紙幣が正券ではない場合には（図５ＡのＳＴＥＰ１２の「ＮＯ」およびＳＴＥＰ１４の「ＮＯ」）、当該紙幣は損券として搬送部１８により更に搬送されて分岐部２２によりリジェクト部４０に送られる（図５ＡのＳＴＥＰ１６）。
【００５２】
なお、上述のような紙幣処理装置１０による紙幣の計数処理が行われている間は、図２の実線に示すように集積部３０の前面の開口はシャッター３４により閉じられている。そして、載置部１４に載置された紙幣が全て集積部３０またはリジェクト部４０に送られ、紙幣処理装置１０による紙幣の１回目の計数処理が終了すると、図２の点線に示すようにシャッター３４は退避位置に移動して集積部３０の前面の開口が開かれる。このようにして、操作者は集積部３０から紙幣を取り出すことができるようになる。また、リジェクト部４０の前面の開口は常に開かれた状態にあるので、操作者は各紙幣整列部材４２を筐体１２の前面に倒すことによりリジェクト部４０から紙幣を取り出すことができるようになる。
【００５３】
また、操作表示部６２の表示部６２ａには、集積部３０に集積された紙幣の合計金額およびリジェクト部４０に損券として集積された紙幣の合計金額がそれぞれリアルタイムで表示されるようになっている（図５ＡのＳＴＥＰ１７）。そして、載置部１４に載置された紙幣が全て集積部３０またはリジェクト部４０に送られ、紙幣処理装置１０による紙幣の１回目の計数処理が終了すると、操作表示部６２の表示部６２ａにおける表示内容は例えば図８（ｂ）に示すようなものとなる。ここで、表示部６２ａには、集積部３０に集積された正券の合計金額として、「ＦＩＴ（正券）」の合計金額が例えば５００Ｅｕｒｏであると表示され、一方、リジェクト部４０に集積された損券の合計金額として、「ＵＮＦＩＴ（損券）」の合計金額が例えば１００Ｅｕｒｏであると表示される。なお、リジェクト部４０に搬送異常券等のリジェクト券が送られた場合には、操作表示部６２のリジェクトランプ６２ｃ（図７参照）が点灯するとともに、図８（ｂ）に示すように表示部６２ａに「ＲＥＪＥＣＴ（リジェクト）」という文字が表示される。図８（ｂ）においては「ＲＥＪＥＣＴ」という文字が枠に囲まれて表示されているが、実際にはこの「ＲＥＪＥＣＴ」という文字は枠内において白黒反転した状態で表示部６２ａに表示されるようになっている。
【００５４】
そして、載置部１４に載置された紙幣が全て集積部３０またはリジェクト部４０に集積された後（図５ＡのＳＴＥＰ１８の「ＹＥＳ」）、リジェクト部４０に集積された紙幣に搬送異常券等のリジェクト券が含まれない場合には（図５ＡのＳＴＥＰ１９の「ＮＯ」）、操作表示部６２の操作キー６２ｂにおける確定（ＡＣＣＥＰＴ）キーが押下されると、または集積部３０から紙幣が取り出されると（図５ＡのＳＴＥＰ２０の「ＹＥＳ」）、集積部３０に送られた紙幣（正券）の枚数およびリジェクト部４０に送られた紙幣（損券）の枚数がそれぞれ確定される（図５ＡのＳＴＥＰ２１）。
【００５５】
一方、載置部１４に載置された紙幣が全て集積部３０またはリジェクト部４０に集積された後、リジェクト部４０に集積された紙幣に搬送異常券等のリジェクト券が含まれる場合には（図５ＡのＳＴＥＰ１９の「ＹＥＳ」）、操作者はリジェクト部４０に集積された紙幣をこのリジェクト部４０から取り出し、載置部１４に載置する（図５ＡのＳＴＥＰ２２）。この際に、操作者は集積部３０から紙幣を取り出さない。この場合、操作表示部６２の表示部６２ａのおける表示内容は図８（ｃ）に示すようなものとなる。図８（ｃ）に示すように、リジェクト部４０から紙幣が取り出されることにより、表示部６２ａにおける表示内容において、図８（ｂ）に示す状態から「ＲＥＪＥＣＴ」の文字が消えるとともに、「ＵＮＦＩＴ（損券）」の合計金額がクリアされて０となり、「ＴＯＴＡＬ」（正券と損券の合計金額）も減少する（すなわち、「ＴＯＴＡＬ」の金額は、「ＦＩＴ（正券）」の合計金額に一致するようになる）。
【００５６】
ここで、制御部６０は、１回目の紙幣の計数処理が終了した後に、集積部３０に集積された紙幣を取り除くことなく（図５ＢのＳＴＥＰ２３の「ＮＯ」）リジェクト部４０に集積された紙幣を再び載置部１４に載置してこの紙幣の再処理を行うリトライ処理機能を実行することができるようになっている（図５ＢのＳＴＥＰ２４）。このようなリトライ処理機能が実行される際には、スタッカ設定部６８での設定内容を維持したまま紙幣を搬送するように搬送部１８における分岐部２２が制御部６０により制御されるようになっている。より詳しく説明すると、操作者が集積部３０に集積された紙幣を取り除くことなくリジェクト部４０に集積された紙幣を当該リジェクト部４０から取り出して載置部１４に載置し、操作表示部６２の操作キー６２ｂ（具体的には、「ＳＴＡＲＴ／ＳＴＯＰ」キー）を押下することにより、図５ＡにおけるＳＴＥＰ１１〜ＳＴＥＰ１８の動作が再び行われるようになる。より詳細には、リトライ処理機能が実行されると、載置部１４に載置された紙幣は１枚ずつ繰出部１６により筐体１２内の搬送部１８に繰り出され、識別計数部２０により識別および計数が行われる（図５ＡのＳＴＥＰ１１）。そして、識別計数部２０によりリジェクト券であると判断された紙幣は（図５ＡのＳＴＥＰ１２の「ＹＥＳ」）、搬送部１８により更に搬送されて分岐部２２によりリジェクト部４０に送られる（図５ＡのＳＴＥＰ１３）。また、スタッカ設定部６８での設定内容に変更はないので、集積部３０に正券が集積されるとともにリジェクト部４０に損券が集積されるという設定は維持されたままとなる。このため、識別計数部２０においてリジェクト券ではないと判断された紙幣について、この紙幣が正券である場合には（図５ＡのＳＴＥＰ１２の「ＮＯ」およびＳＴＥＰ１４の「ＹＥＳ」）、当該紙幣は搬送部１８により更に搬送されて分岐部２２により集積部３０に送られる（図５ＡのＳＴＥＰ１５）。一方、識別計数部２０においてリジェクト券ではないと判断された紙幣について、この紙幣が正券ではない場合には（図５ＡのＳＴＥＰ１２の「ＮＯ」およびＳＴＥＰ１４の「ＮＯ」）、当該紙幣は損券として搬送部１８により更に搬送されて分岐部２２によりリジェクト部４０に送られる（図５ＡのＳＴＥＰ１６）。そして、操作表示部６２の表示部６２ａには、集積部３０およびリジェクト部４０にそれぞれ集積された紙幣の合計金額がリアルタイムで表示される（図５ＡのＳＴＥＰ１７）。
【００５７】
載置部１４に載置された紙幣が全て集積部３０またはリジェクト部４０に送られ、紙幣処理装置１０による紙幣の２回目の計数処理が終了したときに（図５ＡのＳＴＥＰ１８の「ＹＥＳ」）、リジェクト部４０に集積された紙幣に搬送異常券等のリジェクト券が含まれない場合には（図５ＡのＳＴＥＰ１９の「ＮＯ」）、操作表示部６２の操作キー６２ｂにおける確定（ＡＣＣＥＰＴ）キーが押下されると、または集積部３０から紙幣が取り出されると（図５ＡのＳＴＥＰ２０の「ＹＥＳ」）、集積部３０に送られた紙幣（正券）の枚数およびリジェクト部４０に送られた紙幣（損券）の枚数がそれぞれ確定される（図５ＡのＳＴＥＰ２１）。このようにして、制御部６０においてリトライ処理機能が実行された場合の紙幣の一連の計数処理が終了する。
【００５８】
一方、載置部１４に載置された紙幣が全て集積部３０またはリジェクト部４０に集積された後、リジェクト部４０に集積された紙幣に搬送異常券等のリジェクト券が含まれる場合には（図５ＡのＳＴＥＰ１９の「ＹＥＳ」）、上述のようなリトライ処理機能を再び実行することができる。あるいは、この場合において、上述のようなリトライ処理機能を再び実行する代わりに、後述するセカンド処理機能を実行してもよい。また、リジェクト部４０に集積された紙幣について、操作者が目視により偽券等が含まれていることを確認した場合には、操作表示部６２の操作キー６２ｂにおける確定（ＡＣＣＥＰＴ）キーを押下することにより、または集積部３０から紙幣を取り出すことにより、リトライ処理機能において集積部３０に送られた正券の枚数およびリジェクト部４０に送られた損券の枚数をそれぞれ確定することができる。
【００５９】
なお、本実施の形態の紙幣処理装置１０では、載置部１４に載置された紙幣が全て集積部３０またはリジェクト部４０に送られた後、すなわち１回目の紙幣の計数処理が終了した後、集積部３０およびリジェクト部４０の両方から紙幣を取り除き（図５ＢのＳＴＥＰ２３の「ＹＥＳ」）、リジェクト部４０に集積されていた紙幣を再び載置部１４に載置し、紙幣の再処理を行うようなセカンド処理機能を実行することができるようになっている（図５ＢのＳＴＥＰ２５）。このようなセカンド処理機能が実行される際には、スタッカ設定部６８での設定内容を集積部３０とリジェクト部４０とについて逆の内容にして紙幣を搬送するように分岐部２２が制御部６０により制御されるようになっている。すなわち、セカンド処理機能が実行される際には、正券がリジェクト部４０に集積されるとともに損券が集積部３０に集積されるようになる。
【００６０】
セカンド処理機能が実行される場合についてより詳しく説明すると、１回目の紙幣の計数処理が終了した後、操作者が集積部３０から紙幣を取り除くと、図８（ｄ）に示すように、リジェクト部４０に集積された紙幣の再計数を催促するメッセージが表示部６２ａに表示される。その後、操作者はリジェクト部４０に集積された紙幣（損券および／またはリジェクト券）をこのリジェクト部４０から取り出し、載置部１４に載置する。この場合、操作表示部６２の表示部６２ａのおける表示内容は図８（ｅ）に示すようなものとなる。図８（ｅ）に示すように、リジェクト部４０から紙幣が取り出されることにより、表示部６２ａにおける表示内容において、図８（ｂ）に示す状態から「ＲＥＪＥＣＴ」の文字が消えるとともに、「ＵＮＦＩＴ（損券）」の合計金額がクリアされて０となり、「ＴＯＴＡＬ」（正券と損券の合計金額）も減少する（すなわち、「ＴＯＴＡＬ」の金額は、「ＦＩＴ（正券）」の合計金額に一致するようになる）。そして、「ＵＮＦＩＴ」の文字が線で囲まれた状態に変わる。
【００６１】
上述のように操作者が集積部３０およびリジェクト部４０の両方から紙幣を取り除き、リジェクト部４０に集積されていた紙幣（損券）を載置部１４に載置した後、操作者が操作表示部６２の操作キー６２ｂ（具体的には、「ＳＴＡＲＴ／ＳＴＯＰ」キー）を押下することにより、紙幣の再計数の開始の指令を制御部６０に与えると、載置部１４に載置された紙幣は１枚ずつ繰出部１６により筐体１２内の搬送部１８に繰り出され、識別計数部２０により識別および計数が行われる（図５ＢのＳＴＥＰ２６）。そして、識別計数部２０によりリジェクト券であると判断された紙幣は（図５ＢのＳＴＥＰ２７の「ＹＥＳ」）、搬送部１８により更に搬送されて分岐部２２によりリジェクト部４０に送られる（図５ＢのＳＴＥＰ２８）。また、スタッカ設定部６８での設定内容が集積部３０とリジェクト部４０とについて逆の内容にされることにより、集積部３０に損券が集積されるとともにリジェクト部４０に正券が集積されるようになる。このため、識別計数部２０においてリジェクト券ではないと判断された紙幣について、この紙幣が損券である場合には（図５ＢのＳＴＥＰ２７の「ＮＯ」およびＳＴＥＰ２９の「ＹＥＳ」）、当該紙幣は搬送部１８により更に搬送されて分岐部２２により集積部３０に送られる（図５ＢのＳＴＥＰ３０）。一方、識別計数部２０においてリジェクト券ではないと判断された紙幣について、この紙幣が損券ではない場合には（図５ＢのＳＴＥＰ２７の「ＮＯ」およびＳＴＥＰ２９の「ＮＯ」）、当該紙幣は正券として搬送部１８により更に搬送されて分岐部２２によりリジェクト部４０に送られる（図５ＢのＳＴＥＰ３１）。そして、操作表示部６２の表示部６２ａには、集積部３０に集積された紙幣、およびリジェクト部４０に正券として集積された紙幣の合計金額がリアルタイムでそれぞれ表示される（図５ＢのＳＴＥＰ３２）。
【００６２】
載置部１４に載置された紙幣が全て集積部３０またはリジェクト部４０に送られ、紙幣処理装置１０による紙幣の２回目の計数処理が終了したときに（図５ＢのＳＴＥＰ３３の「ＹＥＳ」）、リジェクト部４０に集積された紙幣に搬送異常券等のリジェクト券が含まれない場合には（図５ＢのＳＴＥＰ３４の「ＮＯ」）、操作表示部６２の操作キー６２ｂにおける確定（ＡＣＣＥＰＴ）キーが押下されると、または集積部３０から紙幣が取り出されると（図５ＡのＳＴＥＰ２０の「ＹＥＳ」）、集積部３０に送られた紙幣（損券）の枚数およびリジェクト部４０に送られた紙幣（正券）の枚数がそれぞれ確定される（図５ＡのＳＴＥＰ２１）。このようにして、制御部６０においてセカンド処理機能が実行された場合の紙幣の一連の計数処理が終了する。
【００６３】
一方、載置部１４に載置された紙幣が全て集積部３０またはリジェクト部４０に集積された後、リジェクト部４０に集積された紙幣に搬送異常券等のリジェクト券が含まれる場合には（図５ＢのＳＴＥＰ３４の「ＹＥＳ」）、操作表示部６２のリジェクトランプ６２ｃ（図７参照）が点灯するとともに、図８（ｅ）に示すように表示部６２ａに「ＲＥＪＥＣＴ（リジェクト）」という文字が表示される。そして、操作者はリジェクト部４０に集積された紙幣をこのリジェクト部４０から取り出し、載置部１４に載置する（図５ＢのＳＴＥＰ３５）。この場合、操作表示部６２の表示部６２ａのおける表示内容において、図８（ｆ）に示す状態から「ＲＥＪＥＣＴ」の文字が消えるとともに、リジェクト部４０に集積されていた正券の合計金額がクリアされる。その後、紙幣処理装置１０において上述のようなセカンド処理機能（図５ＢにおけるＳＴＥＰ２６〜ＳＴＥＰ３３）を再び実行することができるようになる。また、リジェクト部４０に集積された紙幣について、操作者が目視により偽券等が含まれていることを確認した場合には、操作表示部６２の操作キー６２ｂにおける確定（ＡＣＣＥＰＴ）キーを押下することにより、または集積部３０から紙幣を取り出すことにより、セカンド処理機能において集積部３０に送られた損券の枚数およびリジェクト部４０に送られた正券の枚数をそれぞれ確定することができる。
【００６４】
次に、分類種別設定部６６により、集積部３０およびリジェクト部４０で分類されるべき紙幣の分類種別の組合せとして正券および損券の組合せが設定され、また、スタッカ設定部６８により、集積部３０に損券を集積させるとともにリジェクト部４０に正券を集積させることが設定された場合（図４のＳＴＥＰ５）について説明する。例えば、紙幣処理装置１０により計数処理が行われるべき複数の紙幣について、損券が正券よりも多いと操作者が判断した場合には、操作者は、スタッカ設定部６８により、集積部３０に損券を集積させるとともにリジェクト部４０に正券を集積させることを設定する。具体的には、図７に示すような操作表示部６２の表示部６２ａの表示画面（初期画面）および各々の操作キー６２ｂにおいて、前述のように操作者が「ＦＩＴ」キー６２ｂ１を２回押下すると、スタッカ設定部６８により、集積部３０に損券を集積させるとともにリジェクト部４０に正券を集積させることが設定される（図４のＳＴＥＰ５）。この場合、操作表示部６２の表示部６２ａにおける紙幣の計数前待機画面は図９（ａ）に示すようなものとなる。
【００６５】
操作者は、計数が行われるべき紙幣を載置部１４に積層状態で載置する。その後、操作者が操作表示部６２の操作キー６２ｂ（具体的には、「ＳＴＡＲＴ／ＳＴＯＰ」キー）を押下することにより、紙幣の計数の開始の指令を制御部６０に与えると（図４のＳＴＥＰ６の「ＹＥＳ」）、載置部１４に積層状態で載置された紙幣は、最下層にある紙幣から順に１枚ずつ繰出部１６により筐体１２内の搬送部１８に繰り出される（図６ＡのＳＴＥＰ４１）。繰出部１６により筐体１２内の搬送部１８に繰り出された紙幣は、当該搬送部１８により搬送される。
【００６６】
そして、搬送部１８により搬送される紙幣は識別計数部２０により識別および計数が行われ（図６ＡのＳＴＥＰ４１）、識別計数部２０による紙幣の識別結果が制御部６０に送られる。より詳細には、識別計数部２０において、紙幣がリジェクト券であるか否かの判断が行われ、紙幣がリジェクト券ではない場合にはこの紙幣が損券であるか否かの判断が行われる。識別計数部２０によりリジェクト券であると判断された紙幣は（図６ＡのＳＴＥＰ４２の「ＹＥＳ」）、搬送部１８により更に搬送されて分岐部２２によりリジェクト部４０に送られる（図６ＡのＳＴＥＰ４３）。また、識別計数部２０においてリジェクト券ではないと判断された紙幣について、この紙幣が損券である場合には（図６ＡのＳＴＥＰ４２の「ＮＯ」およびＳＴＥＰ４４の「ＹＥＳ」）、当該紙幣は搬送部１８により更に搬送されて分岐部２２により集積部３０に送られる（図６ＡのＳＴＥＰ４５）。また、識別計数部２０においてリジェクト券ではないと判断された紙幣について、この紙幣が損券ではない場合には（図６ＡのＳＴＥＰ４２の「ＮＯ」およびＳＴＥＰ４４の「ＮＯ」）、当該紙幣は正券として搬送部１８により更に搬送されて分岐部２２によりリジェクト部４０に送られる（図６ＡのＳＴＥＰ４６）。
【００６７】
ここで、操作表示部６２の表示部６２ａには、集積部３０に集積された紙幣の合計金額およびリジェクト部４０に集積された紙幣の合計金額がそれぞれリアルタイムで表示されるようになっている（図６ＡのＳＴＥＰ４７）。そして、載置部１４に載置された紙幣が全て集積部３０またはリジェクト部４０に送られ、紙幣処理装置１０による紙幣の１回目の計数処理が終了すると、操作表示部６２の表示部６２ａにおける表示内容は例えば図９（ｂ）に示すようなものとなる。ここで、表示部６２ａには、リジェクト部４０に集積された正券の合計金額として、「ＦＩＴ（正券）」の合計金額が例えば１００Ｅｕｒｏであると表示され、一方、集積部３０に集積された損券の合計金額として、「ＵＮＦＩＴ（損券）」の合計金額が例えば５００Ｅｕｒｏであると表示される。なお、リジェクト部４０に搬送異常券等のリジェクト券が送られた場合には、操作表示部６２のリジェクトランプ６２ｃ（図７参照）が点灯するとともに、図９（ｂ）に示すように表示部６２ａに「ＲＥＪＥＣＴ（リジェクト）」という文字が表示される。
【００６８】
そして、載置部１４に載置された紙幣が全て集積部３０またはリジェクト部４０に集積された後（図６ＡのＳＴＥＰ４８の「ＹＥＳ」）、リジェクト部４０に集積された紙幣に搬送異常券等のリジェクト券が含まれない場合には（図６ＡのＳＴＥＰ４９の「ＮＯ」）、操作表示部６２の操作キー６２ｂにおける確定（ＡＣＣＥＰＴ）キーが押下されると、または集積部３０から紙幣が取り出されると（図６ＡのＳＴＥＰ５０の「ＹＥＳ」）、集積部３０に集積された紙幣（損券）の枚数およびリジェクト部４０に集積された紙幣（正券）の枚数がそれぞれ確定される（図６ＡのＳＴＥＰ５１）。
【００６９】
一方、載置部１４に載置された紙幣が全て集積部３０またはリジェクト部４０に集積された後、リジェクト部４０に集積された紙幣に搬送異常券等のリジェクト券が含まれる場合には（図６ＡのＳＴＥＰ４９の「ＹＥＳ」）、操作者はリジェクト部４０に集積された紙幣をこのリジェクト部４０から取り出し、載置部１４に載置する（図６ＡのＳＴＥＰ５２）。この際に、操作者は集積部３０から紙幣を取り出さない。この場合、操作表示部６２の表示部６２ａのおける表示内容は図９（ｃ）に示すようなものとなる。図９（ｃ）に示すように、リジェクト部４０から紙幣が取り出されることにより、表示部６２ａにおける表示内容において、図９（ｂ）に示す状態から「ＲＥＪＥＣＴ」の文字が消えるとともに、「ＦＩＴ（正券）」の合計金額がクリアされて０となり、「ＴＯＴＡＬ」（正券と損券の合計金額）も減少する（すなわち、「ＴＯＴＡＬ」の金額は、「ＵＮＦＩＴ（損券）」の合計金額に一致するようになる）。
【００７０】
そして、集積部３０に集積された紙幣が取り除かれない場合には（図６ＢのＳＴＥＰ５３の「ＮＯ」）、制御部６０は前述のようなリトライ処理機能を実行することとなっている（図６ＢのＳＴＥＰ５４）。前述のように、リトライ処理機能が実行される際には、スタッカ設定部６８での設定内容を維持したまま紙幣を搬送するように搬送部１８における分岐部２２の制御が行われる。より詳しく説明すると、操作者が集積部３０に集積された紙幣を取り除くことなくリジェクト部４０に集積された紙幣を当該リジェクト部４０から取り出して載置部１４に載置し、操作表示部６２の操作キー６２ｂ（具体的には、「ＳＴＡＲＴ／ＳＴＯＰ」キー）を押下することにより、図６ＡにおけるＳＴＥＰ４１〜ＳＴＥＰ４８の動作が再び行われるようになる。より詳細には、リトライ処理機能が実行されると、載置部１４に載置された紙幣は１枚ずつ繰出部１６により筐体１２内の搬送部１８に繰り出され、識別計数部２０により識別および計数が行われる（図６ＡのＳＴＥＰ４１）。そして、識別計数部２０によりリジェクト券であると判断された紙幣は（図６ＡのＳＴＥＰ４２の「ＹＥＳ」）、搬送部１８により更に搬送されて分岐部２２によりリジェクト部４０に送られる（図６ＡのＳＴＥＰ４３）。また、スタッカ設定部６８での設定内容に変更はないので、集積部３０に損券が集積されるとともにリジェクト部４０に正券が集積されるという設定は維持されたままとなる。このため、識別計数部２０においてリジェクト券ではないと判断された紙幣について、この紙幣が損券である場合には（図６ＡのＳＴＥＰ４２の「ＮＯ」およびＳＴＥＰ４４の「ＹＥＳ」）、当該紙幣は搬送部１８により更に搬送されて分岐部２２により集積部３０に送られる（図６ＡのＳＴＥＰ４５）。一方、識別計数部２０においてリジェクト券ではないと判断された紙幣について、この紙幣が損券ではない場合には（図６ＡのＳＴＥＰ４２の「ＮＯ」およびＳＴＥＰ４４の「ＮＯ」）、当該紙幣は正券として搬送部１８により更に搬送されて分岐部２２によりリジェクト部４０に送られる（図６ＡのＳＴＥＰ４６）。そして、操作表示部６２の表示部６２ａには、集積部３０およびリジェクト部４０にそれぞれ集積された紙幣の合計金額がリアルタイムで表示される（図６ＡのＳＴＥＰ４７）。
【００７１】
載置部１４に載置された紙幣が全て集積部３０またはリジェクト部４０に送られ、紙幣処理装置１０による紙幣の２回目の計数処理が終了したときに（図６ＡのＳＴＥＰ４８の「ＹＥＳ」）、リジェクト部４０に集積された紙幣に搬送異常券等のリジェクト券が含まれない場合には（図６ＡのＳＴＥＰ４９の「ＮＯ」）、操作表示部６２の操作キー６２ｂにおける確定（ＡＣＣＥＰＴ）キーが押下されると、または集積部３０から紙幣が取り出されると（図６ＡのＳＴＥＰ５０の「ＹＥＳ」）、集積部３０に送られた紙幣（損券）の枚数およびリジェクト部４０に送られた紙幣（正券）の枚数がそれぞれ確定される（図６ＡのＳＴＥＰ５１）。このようにして、制御部６０においてリトライ処理機能が実行された場合の紙幣の一連の計数処理が終了する。
【００７２】
一方、載置部１４に載置された紙幣が全て集積部３０またはリジェクト部４０に集積された後、リジェクト部４０に集積された紙幣に搬送異常券等のリジェクト券が含まれる場合には（図６ＡのＳＴＥＰ４９の「ＹＥＳ」）、上述のようなリトライ処理機能を再び実行することができる。あるいは、この場合において、上述のようなリトライ処理機能を再び実行する代わりに、後述するセカンド処理機能を実行してもよい。また、リジェクト部４０に集積された紙幣について、操作者が目視により偽券等が含まれていることを確認した場合には、操作表示部６２の操作キー６２ｂにおける確定（ＡＣＣＥＰＴ）キーを押下することにより、または集積部３０から紙幣を取り出すことにより、リトライ処理機能において集積部３０に送られた損券の枚数およびリジェクト部４０に送られた正券の枚数をそれぞれ確定することができる。
【００７３】
なお、スタッカ設定部６８により、集積部３０に損券を集積させるとともにリジェクト部４０に正券を集積させることが設定された場合でも、１回目の計数処理の後に集積部３０に集積された紙幣を取り除いた場合には（図６ＢのＳＴＥＰ５３の「ＹＥＳ」）、制御部は前述のセカンド処理機能を実行することができるようになっている（図６ＢのＳＴＥＰ５５）。
【００７４】
セカンド処理機能が実行される場合についてより詳しく説明すると、１回目の紙幣の計数処理が終了した後、操作者が集積部３０から紙幣を取り除くと、表示部６２ａにおいて図８（ｄ）に示すようなメッセージと同様の、リジェクト部４０に集積された紙幣の再計数を催促するメッセージが表示される。その後、操作者はリジェクト部４０に集積された紙幣（正券および／またはリジェクト券）をこのリジェクト部４０から取り出し、載置部１４に載置する。この場合、操作表示部６２の表示部６２ａのおける表示内容は図９（ｄ）に示すようなものとなる。図９（ｄ）に示すように、リジェクト部４０から紙幣が取り出されることにより、表示部６２ａにおける表示内容において、図９（ｂ）に示す状態から「ＲＥＪＥＣＴ」の文字が消えるとともに、「ＦＩＴ（正券）」の合計金額がクリアされて０となり、「ＴＯＴＡＬ」（正券と損券の合計金額）も減少する（すなわち、「ＴＯＴＡＬ」の金額は、「ＵＮＦＩＴ（損券）」の合計金額に一致するようになる）。そして、「ＦＩＴ」の文字が線で囲まれた状態に変わる。
【００７５】
上述のように操作者が集積部３０およびリジェクト部４０の両方から紙幣を取り除き、リジェクト部４０に集積されていた紙幣（正券）を載置部１４に載置した後、操作者が操作表示部６２の操作キー６２ｂ（具体的には、「ＳＴＡＲＴ／ＳＴＯＰ」キー）を押下することにより、紙幣の再計数の開始の指令を制御部６０に与えると、載置部１４に載置された紙幣は１枚ずつ繰出部１６により筐体１２内の搬送部１８に繰り出され、識別計数部２０により識別および計数が行われる（図６ＢのＳＴＥＰ５６）。そして、識別計数部２０によりリジェクト券であると判断された紙幣は（図６ＢのＳＴＥＰ５７の「ＹＥＳ」）、搬送部１８により更に搬送されて分岐部２２によりリジェクト部４０に送られる（図６ＢのＳＴＥＰ５８）。また、スタッカ設定部６８での設定内容が集積部３０とリジェクト部４０とについて逆の内容にされることにより、集積部３０に正券が集積されるとともにリジェクト部４０に損券が集積されるようになる。このため、識別計数部２０においてリジェクト券ではないと判断された紙幣について、この紙幣が正券である場合には（図６ＢのＳＴＥＰ５７の「ＮＯ」およびＳＴＥＰ５９の「ＹＥＳ」）、当該紙幣は搬送部１８により更に搬送されて分岐部２２により集積部３０に送られる（図６ＢのＳＴＥＰ６０）。一方、識別計数部２０においてリジェクト券ではないと判断された紙幣について、この紙幣が正券ではない場合には（図６ＢのＳＴＥＰ５７の「ＮＯ」およびＳＴＥＰ５９の「ＮＯ」）、当該紙幣は損券として搬送部１８により更に搬送されて分岐部２２によりリジェクト部４０に送られる（図６ＢのＳＴＥＰ６１）。そして、操作表示部６２の表示部６２ａには、集積部３０に集積された紙幣、およびリジェクト部４０に損券として集積された紙幣の合計金額がリアルタイムでそれぞれ表示される（図６ＢのＳＴＥＰ６２）。
【００７６】
載置部１４に載置された紙幣が全て集積部３０またはリジェクト部４０に送られ、紙幣処理装置１０による紙幣の２回目の計数処理が終了したときに（図６ＢのＳＴＥＰ６３の「ＹＥＳ」）、リジェクト部４０に集積された紙幣に搬送異常券等のリジェクト券が含まれない場合には（図６ＢのＳＴＥＰ６４の「ＮＯ」）、操作表示部６２の操作キー６２ｂにおける確定（ＡＣＣＥＰＴ）キーが押下されると、または集積部３０から紙幣が取り出されると（図６ＡのＳＴＥＰ５０の「ＹＥＳ」）、集積部３０に送られた紙幣（正券）の枚数およびリジェクト部４０に送られた紙幣（損券）の枚数がそれぞれ確定される（図６ＡのＳＴＥＰ５１）。このようにして、制御部６０においてセカンド処理機能が実行された場合の紙幣の一連の計数処理が終了する。
【００７７】
一方、載置部１４に載置された紙幣が全て集積部３０またはリジェクト部４０に集積された後、リジェクト部４０に集積された紙幣に搬送異常券等のリジェクト券が含まれる場合には（図６ＢのＳＴＥＰ６４の「ＹＥＳ」）、操作表示部６２のリジェクトランプ６２ｃ（図７参照）が点灯するとともに、図９（ｅ）に示すように表示部６２ａに「ＲＥＪＥＣＴ（リジェクト）」という文字が表示される。そして、操作者はリジェクト部４０に集積された紙幣をこのリジェクト部４０から取り出し、載置部１４に載置する（図６ＢのＳＴＥＰ６５）。この場合、操作表示部６２の表示部６２ａのおける表示内容において、図９（ｅ）に示す状態から「ＲＥＪＥＣＴ」の文字が消えるとともに、リジェクト部４０に集積されていた損券の合計金額がクリアされる。その後、紙幣処理装置１０において上述のようなセカンド処理機能（図６ＢにおけるＳＴＥＰ５６〜ＳＴＥＰ６３）を再び実行することができる。また、リジェクト部４０に集積された紙幣について、操作者が目視により偽券等が含まれていることを確認した場合には、操作表示部６２の操作キー６２ｂにおける確定（ＡＣＣＥＰＴ）キーを押下することにより、または集積部３０から紙幣を取り出すことにより、セカンド処理機能において集積部３０に送られた正券の枚数およびリジェクト部４０に送られた損券の枚数を確定することができる。
【００７８】
なお、これまでの記載においては、分類種別設定部６６において、紙幣の分類種別の組合せとして正券および損券の組合せが設定された場合について説明したが、分類種別設定部６６において、紙幣の分類種別の組合せとして新券および旧券の組合せ、または表券および裏券の組合せ、または指定金種券およびそれ以外の券の組合せ、または上向き券および下向き券の組合せが設定された場合でも、紙幣の分類種別の組合せとして正券および損券の組合せが設定された場合と同様の処理が行われる。
【００７９】
以上のように本実施の形態の紙幣処理装置１０においては、分類種別設定部６６により、集積部（大スタッカ）３０およびリジェクト部（小スタッカ）４０で分類されるべき紙幣の分類種別の組合せが設定されるようになっており、また、スタッカ設定部６８により、分類種別設定部６６で設定された紙幣の分類種別の各々について、紙幣を集積部３０またはリジェクト部４０の何れに集積するかを設定するようになっている。そして、制御部６０は、分類種別設定部６６により設定された紙幣の分類種別の組合せ、スタッカ設定部６８により設定された設定内容および識別計数部２０による紙幣の識別結果に基づいて、集積部３０およびリジェクト部４０の何れか一方に紙幣を搬送するように搬送部１８における分岐部２２の制御を行うようになっている。このため、載置部１４に載置された紙幣の状態に応じて、１回目に載置部１４により紙幣が１枚ずつ機体内部に取り込まれる際に搬送部１８から集積部３０およびリジェクト部４０にそれぞれ送られる紙幣の分類種別を選択設定することができるので、１回目の計数処理においてリジェクト部４０に送られる紙幣の枚数を少なくすることができ、紙幣の処理効率を向上させることができる。より詳細には、例えば、紙幣処理装置１０により計数処理が行われるべき複数の紙幣について、損券が正券よりも多いと操作者が判断した場合には、分類種別設定部６６により紙幣の分類種別の組合せとして正券および損券の組合せを設定し、かつ、スタッカ設定部６８により集積部３０に損券を集積させるとともにリジェクト部４０に正券を集積させることを設定することにより、比較的枚数の多い損券は集積部３０に集積され、比較的枚数の少ない正券はリジェクト部４０に集積されるようになる。このように、１回目の計数処理においてリジェクト部４０に送られる紙幣の枚数を少なくすることができるようになり、紙幣の再計数（リトライ処理機能またはセカンド処理機能）を行う際に、リジェクト部４０に集積された再計数が行われるべき紙幣の枚数が比較的少なくなるので、紙幣の処理効率を向上させることができる。
【００８０】
なお、本実施の形態の紙幣処理装置１０は、上記の態様に限定されるものではなく、様々の変更を加えることができる。
【００８１】
図４乃至図６のフローチャートに示すような紙幣処理装置１０の動作では、紙幣の金種に関係なく紙幣が正券であるかまたは損券であるかの識別結果に基づいて紙幣を集積部３０またはリジェクト部４０に分類して集積するようになっている。しかしながら、紙幣の金種も考慮して、紙幣を集積部３０またはリジェクト部４０に分類して集積するようになっていてもよい。より具体的には、図４乃至図６のフローチャートに示すような紙幣処理装置１０の動作において、紙幣の１回目の計数処理において識別計数部２０により最初に識別された紙幣の金種が記憶部６４に記憶され、その後に識別計数部２０により識別および計数が行われた２枚目以降の紙幣について、最初に識別された紙幣の金種と異なる金種である場合にはこの紙幣はリジェクト部４０に送られるようになっていてもよい。
【００８２】
また、スタッカ設定部６８は、制御部６０に接続された操作表示部６２を介して操作者から制御部６０に送られる指令に基づいて設定を行うのではなく、１回目の紙幣の計数処理の際に識別計数部２０により最初に識別された紙幣の識別結果に基づいて、分類種別設定部６６で設定された紙幣の分類種別の各々について、紙幣を集積部３０またはリジェクト部４０の何れに集積するかを設定するようになっていてもよい。
【００８３】
この場合、制御部６０に接続された記憶部６４には、紙幣の金種毎に各分類種別とスタッカ（集積部３０およびリジェクト部４０）との関係が予め記憶されるようになっていてもよい。具体的には、紙幣の分類種別の組合せが正券および損券の組合せである場合、記憶部６４には、例えば図１０に示すような紙幣の金種毎の各分類種別（正券および損券）とスタッカとの関係が予め記憶されていてもよい。
【００８４】
そして、操作者が、紙幣の１回目の計数処理において、計数が行われるべき紙幣を載置部１４に積層状態で載置し、操作表示部６２の操作キー６２ｂ（具体的には、「ＳＴＡＲＴ／ＳＴＯＰ」キー）を押下することにより、紙幣の計数の開始の指令を制御部６０に与えると、載置部１４に積層状態で載置された紙幣は、最下層にある紙幣から順に１枚ずつ繰出部１６により筐体１２内の搬送部１８に繰り出される。このときに、最初に筐体１２内の搬送部１８に繰り出され、識別計数部２０により識別が行われた紙幣の金種の情報が制御部６０に送られ、この最初に識別が行われた紙幣の金種に基づいて、記憶部６４に記憶された図１０に示すような紙幣の金種毎の各分類種別とスタッカとの関係を用いて、スタッカ設定部６８は、紙幣の分類種別の各々について、紙幣を集積部３０またはリジェクト部４０の何れに集積するかを設定する。
【００８５】
例えば、識別計数部２０により最初に識別が行われた紙幣が１０ユーロ紙幣である場合には、図１０に示すような金種毎の各分類種別とスタッカとの関係に基づいて、スタッカ設定部６８は、集積部３０に正券を集積するとともにリジェクト部４０に損券を集積することを設定する。この場合、２枚目以降の紙幣については、図５Ａおよび図５ＢのフローチャートにおけるＳＴＥＰ１１〜ＳＴＥＰ３５に示すような処理が行われる。一方、例えば、識別計数部２０により最初に識別が行われた紙幣が５ユーロ紙幣である場合には、図１０に示すような金種毎の各分類種別とスタッカとの関係に基づいて、スタッカ設定部６８は、集積部３０に損券を集積するとともにリジェクト部４０に正券を集積することを設定する。この場合、２枚目以降の紙幣については、図６Ａおよび図６ＢのフローチャートにおけるＳＴＥＰ４１〜ＳＴＥＰ６５に示すような処理が行われる。
【００８６】
なお、この際に、紙幣の１回目および２回目の計数処理の各々において、識別計数部２０により識別された紙幣の金種が、紙幣の１回目の計数処理において識別計数部２０により最初に識別された紙幣の金種と異なる場合には、この紙幣はリジェクト部４０に送られるようになる。
【００８７】
このような紙幣処理装置１０の動作によれば、当該紙幣処理装置１０により計数処理されるべき紙幣の金種によって、紙幣の分類種別の各々について紙幣を集積部３０またはリジェクト部４０の何れに集積するかの設定を変更することができる。すなわち、紙幣処理装置１０に処理されるべき紙幣の金種が略同一であると操作者が考える場合には、上述のような処理モードを設定することにより、すなわち、識別計数部２０により最初に識別された紙幣の識別結果に基づいて、紙幣の分類種別の各々について紙幣を集積部３０またはリジェクト部４０の何れに集積するかについての設定をスタッカ設定部６８が行うようにすることにより、紙幣処理装置１０により計数処理されるべき紙幣の金種に適した紙幣の処理を行うことができるようになる。
【００８８】
具体的には、例えば一般的に５ユーロ紙幣や２０ユーロ紙幣において正券よりも損券が多く含まれると仮定した場合には、図１０に示すような紙幣の金種毎の各分類種別（正券および損券）とスタッカとの関係を記憶部６４に記憶させておくことにより、５ユーロ紙幣や２０ユーロ紙幣を紙幣処理装置１０により計数処理する場合には、スタッカ設定部６８は損券を集積部３０に集積させるとともに正券をリジェクト部４０に集積させるよう設定を行うようになる。このことにより、比較的枚数の多い損券は集積部３０に集積され、比較的枚数の少ない正券はリジェクト部４０に集積されるようになる。一方、それ以外の金種の紙幣において損券よりも正券が多く含まれるときには、図１０に示すような紙幣の金種毎の各分類種別（正券および損券）とスタッカとの関係を記憶部６４に記憶させておくことにより、これらの金種の紙幣を紙幣処理装置１０により計数処理する場合には、スタッカ設定部６８は正券を集積部３０に集積させるとともに損券をリジェクト部４０に集積させるよう設定を行うようになる。このことにより、比較的枚数の多い正券は集積部３０に集積され、比較的枚数の少ない損券はリジェクト部４０に集積されるようになる。
【００８９】
このように、どのような金種の紙幣が紙幣処理装置１０により計数処理される場合でも、１回目の計数処理においてリジェクト部４０に送られる紙幣の枚数を少なくすることができるようになり、紙幣の再計数（リトライ処理機能またはセカンド処理機能）を行う際に、リジェクト部４０に集積された再計数が行われるべき紙幣の枚数が比較的少なくなるので、紙幣の処理効率を向上させることができる。
【００９０】
また、本実施の形態における他の態様として、スタッカ設定部６８は、処理対象となる紙幣のアカウント情報に基づいて、分類種別設定部６６で設定された紙幣の分類種別の各々について、紙幣を集積部３０またはリジェクト部４０の何れに集積するかを設定するようになっていてもよい。ここで、アカウント情報とは、紙幣処理装置１０により計数処理が行われるべき紙幣の所属先や管理者等に関する情報のことをいう。
【００９１】
この場合、制御部６０に接続された記憶部６４には、処理対象となる紙幣のアカウント情報に対応させて各分類種別とスタッカ（集積部３０およびリジェクト部４０）との関係が予め記憶されるようになっていてもよい。具体的には、紙幣の分類種別の組合せが正券および損券の組合せである場合、記憶部６４には、例えば図１１に示すように、処理対象となる紙幣のアカウント情報（より具体的には、紙幣の所属先のシリアル番号）に対応させて各分類種別とスタッカ（集積部３０およびリジェクト部４０）との関係が予め記憶されていてもよい。
【００９２】
そして、紙幣処理装置１０により紙幣の計数処理を行う際に、まず、操作者は例えば操作表示部６２等により制御部６０に対して処理対象となる紙幣のアカウント情報を入力する。スタッカ設定部６８は、制御部６０に対して処理対象となる紙幣のアカウント情報が入力されるとその入力情報と記憶部６４の記憶内容とに基づいて、紙幣の分類種別の各々について、紙幣を集積部３０またはリジェクト部４０の何れに集積するかを設定する。より具体的には、例えば、○○商会のシリアル番号である「１２３４５」が操作者により制御部６０に入力されると、スタッカ設定部６８は、正券を集積部３０に集積させるとともに損券をリジェクト部４０に集積させることを設定する。この場合、紙幣処理装置１０において、図５Ａおよび図５ＢのフローチャートにおけるＳＴＥＰ１１〜ＳＴＥＰ３５に示すような紙幣の処理が行われる。一方、紙幣処理装置１０により紙幣の計数処理を行う際に、△△商会のシリアル番号である「５４３２１」が操作者により制御部６０に入力されると、スタッカ設定部６８は、損券を集積部３０に集積させるとともに正券をリジェクト部４０に集積させることを設定する。この場合、紙幣処理装置１０において、図６Ａおよび図６ＢのフローチャートにおけるＳＴＥＰ４１〜ＳＴＥＰ６５に示すような紙幣の処理が行われる。
【００９３】
このような紙幣処理装置１０の動作によれば、当該紙幣処理装置１０により計数処理されるべき紙幣のアカウント情報によって、紙幣の分類種別の各々について紙幣を集積部３０またはリジェクト部４０の何れに集積するかの設定を変更することができる。すなわち、紙幣処理装置１０において処理対象となる紙幣の所属先や管理者等が複数存在する場合でも、各々の所属先や管理者等毎に、紙幣の分類種別の各々について紙幣を集積部３０またはリジェクト部４０の何れに集積するかについての設定をスタッカ設定部６８が行うことできるようになる。
【００９４】
具体的には、例えば△△商会から紙幣処理装置１０に持ち込まれる紙幣において概して正券よりも損券が多く含まれるときには、図１１に示すようなアカウント情報毎の各分類種別（正券および損券）とスタッカとの関係を記憶部６４に記憶させておくことにより、△△商会の紙幣を紙幣処理装置１０により計数処理する場合には、スタッカ設定部６８は損券を集積部３０に集積させるとともに正券をリジェクト部４０に集積させるよう設定を行うようになる。このことにより、比較的枚数の多い損券は集積部３０に集積され、比較的枚数の少ない正券はリジェクト部４０に集積されるようになる。一方、例えば○○商会から紙幣処理装置１０に持ち込まれる紙幣において概して損券よりも正券が多く含まれるときには、図１１に示すようなアカウント情報毎の各分類種別（正券および損券）とスタッカとの関係を記憶部６４に記憶させておくことにより、○○商会の紙幣を紙幣処理装置１０により計数処理する場合には、スタッカ設定部６８は正券を集積部３０に集積させるとともに損券をリジェクト部４０に集積させるよう設定を行うようになる。このことにより、比較的枚数の多い正券は集積部３０に集積され、比較的枚数の少ない損券はリジェクト部４０に集積されるようになる。
【００９５】
このように、紙幣の所属先や管理者等が様々である場合において紙幣処理装置１０により紙幣が計数処理される場合でも、１回目の計数処理においてリジェクト部４０に送られる紙幣の枚数を少なくすることができるようになり、紙幣の再計数（リトライ処理機能またはセカンド処理機能）を行う際に、リジェクト部４０に集積された再計数が行われるべき紙幣の枚数が比較的少なくなるので、紙幣の処理効率を向上させることができる。
【００９６】
また、本実施の形態における更に他の態様として、スタッカ設定部６８は、処理対象となる紙幣のアカウント情報および識別計数部２０により最初に識別された紙幣の識別情報の両方に基づいて、分類種別設定部６６で設定された紙幣の分類種別の各々について、紙幣を集積部３０またはリジェクト部４０の何れに集積するかを設定するようになっていてもよい。
【００９７】
この場合、制御部６０に接続された記憶部６４には、処理対象となる紙幣のアカウント情報毎で、かつ紙幣の金種毎に各分類種別とスタッカ（集積部３０およびリジェクト部４０）との関係が予め記憶されるようになっていてもよい。具体的には、紙幣の分類種別の組合せが正券および損券の組合せである場合、記憶部６４には、例えば図１２に示すように、処理対象となる紙幣のアカウント情報毎に、紙幣の金種毎の各分類種別（正券および損券）とスタッカとの関係が予め記憶されていてもよい。
【００９８】
そして、紙幣処理装置１０により紙幣の計数処理を行う際に、まず、操作者は例えば操作表示部６２等により制御部６０に対して処理対象となる紙幣のアカウント情報を入力する。
【００９９】
次に、操作者が、紙幣の１回目の計数処理において、計数が行われるべき紙幣を載置部１４に積層状態で載置し、操作表示部６２の操作キー６２ｂ（具体的には、「ＳＴＡＲＴ／ＳＴＯＰ」キー）を押下することにより、紙幣の計数の開始の指令を制御部６０に与えると、載置部１４に積層状態で載置された紙幣は、最下層にある紙幣から順に１枚ずつ繰出部１６により筐体１２内の搬送部１８に繰り出される。このときに、最初に筐体１２内の搬送部１８に繰り出され、識別計数部２０により識別が行われた紙幣の金種の情報が制御部６０に送られる。スタッカ設定部６８は、最初に制御部６０に入力された紙幣のアカウント情報、および識別計数部２０により最初に識別された紙幣の金種に基づいて、スタッカ設定部６８は、紙幣の分類種別の各々について、紙幣を集積部３０またはリジェクト部４０の何れに集積するかを設定する。
【０１００】
より具体的には、例えば、○○商会のシリアル番号である「１２３４５」が操作者により制御部６０に入力され、かつ、識別計数部２０により最初に識別が行われた紙幣が５ユーロ紙幣である場合には、スタッカ設定部６８は、損券を集積部３０に集積させるとともに正券をリジェクト部４０に集積させることを設定する。この場合、２枚目以降の紙幣については、図６Ａおよび図６ＢのフローチャートにおけるＳＴＥＰ４１〜ＳＴＥＰ６５に示すような処理が行われる。一方、例えば△△商会のシリアル番号である「５４３２１」が操作者により制御部６０に入力された場合には、識別計数部２０により最初に識別が行われた紙幣の金種がどの金種であった場合でも、スタッカ設定部６８は、正券を集積部３０に集積させるとともに損券をリジェクト部４０に集積させることを設定する。この場合、２枚目以降の紙幣については、図５Ａおよび図５ＢのフローチャートにおけるＳＴＥＰ１１〜ＳＴＥＰ３５に示すような処理が行われる。
【０１０１】
なお、この際に、紙幣の１回目および２回目の計数処理の各々において、識別計数部２０により識別された紙幣の金種が、紙幣の１回目の計数処理において識別計数部２０により最初に識別された紙幣の金種と異なる場合には、この紙幣はリジェクト部４０に送られるようになる。
【０１０２】
このような紙幣処理装置１０の動作によれば、当該紙幣処理装置１０により計数処理されるべき紙幣のアカウント情報、および識別計数部２０により最初に識別が行われた紙幣の金種によって、紙幣の分類種別の各々について紙幣を集積部３０またはリジェクト部４０の何れに集積するかの設定を変更することができる。すなわち、紙幣処理装置１０の載置部１４に載置される複数の紙幣の金種が略同一であると考えられる場合、制御部６０に入力された紙幣のアカウント情報、および識別計数部２０により最初に識別された紙幣の識別結果に基づいて、紙幣の分類種別の各々について紙幣を集積部３０またはリジェクト部４０の何れに集積するかについての設定をスタッカ設定部６８が行うことにより、紙幣処理装置１０により計数処理されるべき紙幣の所属先や管理者等、ならびにこの紙幣の金種に適した紙幣の処理を行うことができるようになる。
【符号の説明】
【０１０３】
１０  紙幣処理装置
１２  筐体
１４  載置部
１５  紙幣有無センサ
１６  繰出部
１６ａ  キッカローラ
１６ｂ  フィードローラ
１６ｃ  逆転ローラ
１７  繰出部駆動機構
１８  搬送部
１９  搬送部駆動機構
２０  識別計数部
２０ａ  ラインセンサ
２０ｂ  厚み検出センサ
２０ｃ  磁気センサ
２２  分岐部
３０  集積部
３２  羽根車式集積機構
３２ａ  羽根車
３２ｂ  羽根
３４  シャッター
３５  シャッター駆動機構
３６  紙幣有無センサ
４０  リジェクト部
４２  紙幣整列部材
４４  紙幣有無センサ
６０  制御部
６２  操作表示部
６２ａ  表示部
６２ｂ  操作部
６２ｃ  リジェクトランプ
６４  記憶部
６６  分類種別設定部
６８  スタッカ設定部
【図１】
2012068819.tif 000003
【図２】
2012068819.tif 000004
【図３】
2012068819.tif 000005
【図４】
2012068819.tif 000006
【図５Ａ】
2012068819.tif 000007
【図５Ｂ】
2012068819.tif 000008
【図６Ａ】
2012068819.tif 000009
【図６Ｂ】
2012068819.tif 000010
【図７】
2012068819.tif 000011
【図８】
2012068819.tif 000012
【図９】
2012068819.tif 000013
【図１０】
2012068819.tif 000014
【図１１】
2012068819.tif 000015
【図１２】
2012068819.tif 000016